(57)【要約】【課題】単一の低電源電圧で動作する端末網制御装置に接続される電話機のオフフックの検出やリレーの反転検出を可能とする。【解決手段】電話回線に接続され直流電圧を取り出すダイオードブリッジ３と、ダイオードブリッジ３に接続されダイヤルトーンの送受信やモデム機能を有する通信処理部４と、電池から構成される電源部１１と、電源部１１の電圧を昇圧する電源昇圧部１０と、電話回線２から電流を供給する電流制限部８と、外部に接続された電話機６を電話回線２に接続制御するリレー７と、リレー７が前記電話回線２から電話機６を切断している状態で電源昇圧部１０または電流制限部８から電話機６と直列に接続され所定の電流が流れることを検出する電流検出部８と、通信処理部４の制御や電流検出部９の出力によりリレー７を電話回線２と電話機６が接続されるように制御する制御部５から構成する。【選択図】  図１
2004349920.tif 000002
【特許請求の範囲】
【請求項１】
電話回線に接続され直流電圧を取り出すダイオードブリッジと、前記ダイオードブリッジに接続されダイヤルトーンの送受信やモデム機能を有する通信処理部と、電池から構成される電源部と、前記電源部の電圧を昇圧する電源昇圧部と、前記電話回線から電流を供給する電流制限部と、外部に接続された電話機を前記電話回線に接続制御するリレーと、前記リレーが前記電話回線から電話機を切断している状態で前記電源昇圧部または前記電流制限部から前記電話機と直列に接続され所定の電流が流れることを検出する電流検出部と、前記通信処理部の制御や前記電流検出部の出力により前記リレーを前記電話回線と電話機が接続されるように制御する制御部から構成される端末網制御装置。
【請求項２】
電流制限部にスイッチを設け、必要に応じて電流制限部を電流検出部から切り離すように構成したことを特徴とする請求項１記載の端末網制御装置。
【請求項３】
電源昇圧部の動作を間欠的に動作させることを特徴とする請求項１記載の端末網制御装置。
【発明の詳細な説明】
【０００１】
【発明の属する技術分野】
本発明はアナログ電話回線に接続される網制御装置に関するもので、主に自動検針等でメータ端末とセンター装置間での通信制御に用いる低電源電圧で動作する端末網制御装置に関する。
【０００２】
【従来の技術】
従来の端末網制御装置は通常データ通信を行うためのモデム通信機能やＤＴＭＦ通信機能の他に、データ通信時に外付けの電話機を電話回線から切断すると共に、前記電話機の受話器がオフフックされたことを検出してデータ通信終了後に再度電話機を電話回線に接続させるオフフック検出機能などが備えられており、電話回線に接続されたセンター装置との間で発呼通信やノーリンギング通信を行う（例えば、特許文献１参照）。
【０００３】
図６に従来のオフフック検出機能を備えた端末網制御装置を示す。１は端末網制御装置本体である。端末網制御装置１は電話回線２に接続されたダイオードブリッジ３、電話回線２との直流抵抗と交流インピーダンスの整合や、信号の送信や受信等のインタフェースとして動作しモデム処理機能やＤＴＭＦ処理機能を備えた通信処理部４と、電話回線２と電話機６の接続、切断を制御するラッチングリレー７と、電流検出部９と、前記通信処理部４、リレー７を制御する制御部５と、各回路に電源を供給する電池で構成される電源部１１、電流検出部９に電源部１１より高い電圧を供給する電池で構成されるオフフック電源部１２から構成されている。
【０００４】
ここで、通常電話回線２と電話機６はリレー７の接点（実線で示す）により接続されているが、端末網制御装置１にデータ送信要求、いわゆる発呼通信要求が発生するとリレー７の接点が（破線で示す）切り替わり、電話機６は電流検出部１１に接続される。
【０００５】
電話機６がオンフック状態では内部のインピーダンスが大きいため逆電圧防止用のダイオード９ａ、抵抗９ｂ，９ｄ，９ｅ，９ｆとトランジスタ９ｃ，９ｇから構成される電流検出部９のトランジスタ９ｃ、９ｇはオフ状態であるが、電話機６がオフフックされると内部インピーダンスが低下するためトランジスタ９ｃにはオフフック電源部１２から抵抗９ｂを介してベース電流が流れオン状態となり、更にトランジスタ９ｇにトランジスタ９ｃ、抵抗９ｆを介してベース電流がながれトランジスタ９ｇがオン状態となり、制御部５は電話機がオフフックされたことを検出するようになっている。
【０００６】
例えば、端末網制御装置１が発呼動作を行っている場合、制御部５がトランジスタ９ｇのオン状態を検出すると発呼通信動作を停止させ、リレー７の接点をを元の状態に復帰させるように動作する。尚、通信処理部４を構成しているモデムＬＳＩ等の回路には約３Ｖの電源が必要である。また、電話機の端子間にはダイオードなどの抵抗以外の素子が入っているため、前記オフフック電源部１２は電話機に電流を流すために通常電源部１１より高い約５Ｖ以上の電圧が必要となる。
【０００７】
また、リレー７は電源部１１の消費電流量を増やさないため、ラッチングリレーを使用するが、外的な衝撃によりリレーの接点が反転すると、電話機が電話回線から切り離されているため電話をかけることができなくなる。この場合にも常にオフフック電源部１２が電流検出部９に印加されている為、制御部５が定期的にトランジスタ９ｇの状態を監視することによりリレー７の反転を検出でき、変転を検出すると制御部５はリレー７を元の状態に戻し電話機６が使用できる状態に動作するように構成されている。
【０００８】
【特許文献１】
特開平１１−２３４４１９号公報
【０００９】
【発明が解決しようとする課題】
しかしながら、前記従来のような回路電圧の高い端末網制御装置１では、電流検出回路用に高い電圧の電池電源が必要となり、電源部１１の電源で全ての回路を動作させることができなかった。また、高い電圧は昇圧回路で作ることは可能であるが、外的な衝撃などによりリレーが反転した場合に、この反転を検出するためには常に前記昇圧回路を動作させておく必要があり、電源部の電池の消費量が膨大となってしまう。
【００１０】
本発明は、前記従来の課題を解決するもので、単一電源でオフフック検出や、リレーの反転の検出を可能にする端末網制御装置を提供することを目的とする。
【００１１】
【課題を解決するための手段】
前記従来の課題を解決するために、本発明の端末網制御装置においては、電話回線から供給される電源をオフフック検出回路の電源に使用するように構成したものである。この本発明によれば低い電圧で動作する端末網制御装置のオフフック検出を可能にすることができる。
【００１２】
【発明の実施の形態】
請求項１に記載の発明は、電話回線に接続され直流電圧を取り出すダイオードブリッジと、前記ダイオードブリッジに接続されダイヤルトーンの送受信やモデム機能を有する通信処理部と、電池から構成される電源部と、前記電源部の電圧を昇圧する電源昇圧部と、前記電話回線から電流を供給する電流制限部と、外部に接続された電話機を前記電話回線に接続制御するリレーと、前記リレーが前記電話回線から電話機を切断している状態で前記電源昇圧部または前記電流制限部から前記電話機と直列に接続され所定の電流が流れることを検出する電流検出部と、前記通信処理部の制御や前記電流検出部の出力により前記リレーを前記電話回線と電話機が接続されるように制御する制御部を備えることにより、単一の電源部で電話機のオフフックやリレーの反転を検出することが可能となる。
【００１３】
請求項２に記載の発明は、電流制限部にスイッチを設け、必要に応じて電流制限部を電流検出部から切り離すように構成することにより、電話回線に不要なインピーダンスが挿入されることを防止することが可能となる。
【００１４】
請求項３に記載の発明は、電源昇圧部の動作を間欠的に動作させるように構成することにより、電源部の消費電流を削減することが可能となる。
【００１５】
【実施例】
以下、本発明の実施例について図面を用いて説明する。
【００１６】
（実施例１）
図１において、本発明の実施例１の端末網制御装置を示すブロック図である。図１において、端末網制御装置１は電話回線に接続され直流電圧を取り出すダイオードブリッジ３と、ダイオードブリッジ３に接続されダイヤルトーンの送受信やモデム機能を有する通信処理部４と、電池から構成される電源部１１と、電源部１１の電圧を昇圧する電源昇圧部１０と、電話回線２から電流を供給する電流制限部８と、外部に接続された電話機を前記電話回線２に接続制御するリレー７と、リレー７が電話回線２から電話機６を切断している状態で電源昇圧部１０または電流制限部１０から電話機６と直列に接続され所定の電流が流れることを検出する電流検出部９と、通信処理部４の制御や電流検出部９の出力によりリレー７を電話回線２と電話機６が接続されるように制御する制御部５とから構成されている。
【００１７】
次に図２により電流制限部８と電流検出部９の詳細な説明をする。端末網制御装置１が通信をしていない状態では、リレー７の接点は実線で示す回路になっているため、電話回線２と電話機６が直接接続されている状態にある。また、電流検出部９にはダイオードブリッジ３から抵抗８ｂ、ダイオード９ｈを介して電圧が印加されている。この状態ではリレー７の端子７ｆはオープンになっているため電流検出部９には電流が流れず、ダイオードブリッジ３の出力電圧は約４８Ｖとなっている。また、電流検出部９には電源部１１の電源により動作する電源昇圧部１０が接続され、電源昇圧部１０の電圧はダイオード９ｉを介して電流検出部９に印加される。
【００１８】
次に図３により端末網制御装置１の動作を説明する。端末網制御装置１に発呼要求が時刻ｔ０で発生すると、時刻ｔ１で（ｃ）で示すように制御部５がリレー７にセットパルスを出力する。このセットパルスによりリレー７の接点は図２の破線の位置の状態となる。同時に、（ｂ）で示すように制御部５は電源昇圧部１０を動作させる。また、制御部５は時刻ｔ２に通信処理部４を閉結状態としダイヤル動作をおこない、センターとの通信を実施する。このときダイオードブリッジ３の出力電圧は（ａ）に示すように非動作時の約４８Ｖから約数Ｖに低下する。通信途中、（ｄ）に示すように時刻ｔ３で電話機６がオフフックされると、前記したように電流検出部９が動作し、制御部５はこれを検出し、（ｂ）に示すように通信処理部４の閉結動作を停止し、（ｃ）に示すようにリレー７にリセットパルスを出力し、リレー７の接点を図２の実線のように切り替える。
【００１９】
図３（ａ）、（ｂ）、（ｃ）、（ｄ）に示す破線はオフフック動作が行われず時刻ｔ５で正常に通信が終了する場合を示している。
【００２０】
また、端末網制御装置１が非通信時にはダイオードブリッジ３の出力は約４８Ｖになっており、抵抗８ａを介して電流検出部９に接続されており、電話機６が外的な要因で反転した場合には制御部５がトランジスタ９ｇのオン状態を検出し、直ぐにリレー７にリセットパルスを出力しリレー７の接点を通常の状態に戻すように動作する。以上、端末網制御装置１が非動作状態では電話回線２からの電圧を使用し、端末網制御装置１が動作状態では電源昇圧部１０を使用することにより一種類の電源でシステムが構成できるようになる。
【００２１】
（実施例２）
図４は、本発明の実施例２の端末網制御装置の回路図である。
【００２２】
図４において、電流制限部８は抵抗８ａ、８ｂとトランジスタ８ｃから構成されている。端末網制御装置１が非動作時には制御部５の出力はオープンになっているため、トランジスタ８ｃは抵抗８ｂを介してベース電流が流れオン状態となっている。従って、電流検出部９には抵抗８ｂを介して電圧が印加されており、外的な要因によるリレー７の反転を検出できるようになっている。また、端末網制御装置１が通信状態にあるばあい、制御部５がトランジスタ８ｃをオフ状態にすることにより、抵抗８ａによる通信処理部４や電話回線２に影響をなくすことが可能となる。
【００２３】
（実施例３）
図５は本発明の実施例３における端末網制御装置１の各部の動作タイミングを示すタイミングチャートである。端末網制御装置１が通信中に（ｂ）で示すように電源昇圧部１０の動作を間欠的に行うことにより、電源部１１の電流消費を低減することが可能となる。電源昇圧部１０を間欠的に動作させた場合、図示はしないが電源昇圧部１０に内蔵されたコンデンサにより一時的に電圧が保持され、電話機６のオフフック検出ができない電圧に放電される迄に、再度電源昇圧部１０を動作させればよい。
【００２４】
【発明の効果】
以上のように、本発明によれば低電圧で動作する端末網制御装置のオフフック検出やリレーの外的な要因による反転検出を可能にすることができ、単一電源で端末網制御装置を構成することが可能となる。
【００２５】
また、電話回線へのインピーダンスの低下を防止させることが可能となる。
【００２６】
更に、電源の消費を抑え、オフフックを検出することが可能となる。
【図面の簡単な説明】
【図１】本発明の第１の実施例における端末網制御装置の要部ブロック図
【図２】本発明の第１の実施例の回路図を示す図
【図３】本発明の第１の実施例における各部のタイミングチャート
【図４】本発明の第２の実施例の回路図
【図５】本発明の第３の実施例における制御部のタイミングチャート
【図６】従来の端末網制御装置のオフフック検出部を示すブロック図
【符号の説明】
１  端末網制御装置
２  電話回線
３  ダイオードブリッジ
４  通信処理部
５  制御部
６  電話機
７  リレー
８  電流制限部
９  電流検出部
１０  電源昇圧部
１１  電源部
【図１】
2004349920.tif 000003
【図２】
2004349920.tif 000004
【図３】
2004349920.tif 000005
【図４】
2004349920.tif 000006
【図５】
2004349920.tif 000007
【図６】
2004349920.tif 000008